(57)【要約】【課題】  釣り竿用竿体の竿先側端部の先端面に工夫を加えることによって、釣り場での釣り竿の準備操作を容易迅速に行うことのできる釣り竿用竿体を提供する。【解決手段】  プリプレグシートの竿先端側部分に蓄光材ａを装着し、蓄光材ａを装着したプリプレグシートをマンドレルに複数層に亘って巻回し、焼成後所定長さに裁断して、蓄光材ａを竿体１の竿先側端部１Ａの先端面に表出させる。【選択図】        図１
2007325550.tif 000002
【特許請求の範囲】
【請求項１】
竿体端部の先端面に、蓄光材若しくは光輝性材を装着している釣り竿用竿体。
【請求項２】
竿体端部の先端面において、蓄光材若しくは光輝性材を、最内層から最外層にかけての層間に介在させてある釣り竿用竿体。
【請求項３】
強化繊維群に樹脂を含浸させて形成したプリプレグシートをマンドレルに巻回し、マンドレルに巻回した状態で焼成し、焼成後所定長さに裁断して釣り竿用竿体を形成する釣り竿用竿体の製造方法であって、前記プリプレグシートの竿端部分に蓄光材若しくは光輝性材を装着し、前記蓄光材若しくは光輝性材を装着したプリプレグシートをマンドレルに複数層に亘って巻回し、焼成後所定長さに裁断して、前記蓄光材若しくは光輝性材を前記竿体端部の先端面に表出させる釣り竿用竿体の製造方法。
【発明の詳細な説明】
【技術分野】
【０００１】
本発明は、釣り竿用竿体の竿端部の先端面の構造に関する。
【背景技術】
【０００２】
並継竿やインロー継竿においては、釣り場を移動する場合には、竿収納ケース内に一番竿等の竿体を収納した状態で携行し、釣り場においては、一番竿から継ぎ作業を行い釣り操作の準備にかかるものである（特許文献１参照）。
【０００３】
【特許文献１】特開２００５−２２９９５３号公報（段落番号〔０００２〕、及び、図１、２）
【発明の開示】
【発明が解決しようとする課題】
【０００４】
しかし、竿体端部の先端面は、プリプレグをマンドレルに巻回した状態で焼成し、焼成後所定長さに裁断された状態を維持しただけのものである。
そうすると、釣り場において、早朝の暗闇の中で釣りの準備を始める場合に、小径竿体の竿先側端部と大径竿体の竿元側端部とを連結する必要があるが、この場合に、連結すべき、竿先側端部と竿元側端部との先端面を目視し難いところから、連結操作に手間取ることがあった。
【０００５】
本発明の目的は、釣り竿用竿体の竿端部の先端面に工夫を加えることによって、釣り場での釣り竿の準備操作を容易迅速に行うことのできる釣り竿用竿体を提供する点にある。
【課題を解決するための手段】
【０００６】
〔構成〕
請求項１に係る発明の特徴構成は、竿端部の先端面に、蓄光材若しくは光輝性材を装着している点にあり、その作用効果は次の通りである。
【０００７】
〔作用〕
つまり、蓄光材又は光輝性材によって、竿先側端部を視認することができるので、大径竿体の竿先側端部と小径竿体の竿元側端部とを連結する場合に、竿先側端部を視認できるとともに、竿元側端部も竿先側端部の蓄光材によって照らし出されることとなり、連結操作を行い易くなる。
【０００８】
〔効果〕
このように、蓄光材等を竿端部の先端面に装着するという簡単な改造によって、釣り場での釣り竿の準備を迅速容易に行えるようになった。
【０００９】
請求項２に係る発明の特徴構成は、竿端部の先端面において、蓄光材若しくは光輝性材を、最内層から最外層にかけての層間に介在させてある点にあり、その作用効果は次の通りである。
【００１０】
〔作用効果〕
つまり、蓄光材等を配置構成するに、竿端部の先端面の全面に亘って散在させるのではなく、層間に集中させて配置することによって、光量を集中させることができて、照光度を向上させることができる。
また、層を多数採ることによって、蓄光材の量も多くでき、光量を増やすことができる。
【００１１】
請求項３に係る発明の特徴構成は、強化繊維群に樹脂を含浸させて形成したプリプレグシートをマンドレルに巻回し、マンドレルに巻回した状態で焼成し、焼成後所定長さに裁断して釣り竿用竿体を形成する釣り竿用竿体の製造方法であって、前記プリプレグシートの竿端部に蓄光材若しくは光輝性材を装着し、前記蓄光材若しくは光輝性材を装着したプリプレグシートをマンドレルに複数層に亘って巻回し、焼成後所定長さに裁断して、前記蓄光材若しくは光輝性材を前記竿体の竿端部の先端面に表出させる点にあり、その作用効果は次の通りである。
【００１２】
〔作用効果〕
請求項１，２に係る作用効果と同様の作用効果を奏することができるとともに、次ぎのような作用効果を奏する。つまり、蓄光材等をプリプレグシートに装着した状態でそのプリプレグシートをマンドレルに巻回することによって竿体に装着する構成を採っているので、通常の製造方法で竿体を一旦形成した後に、その竿体にあらためて蓄光材等を、接着剤等を介して取り付ける場合に比べて、プリプレグシートをマンドレルに巻回するという通常の製造過程の中で蓄光材を装着することができ、製造工程の簡素化を図ることができる。
しかも、通常の製造過程の中で蓄光材を装着するので、プリプレグシートが焼成時に溶融する過程で蓄光材等を強力に接着でき、単に、一旦製造された竿体に後から接着剤を介して取り付ける場合に比べて、剥がれ落ちることが少なく、長期に亘って安定した機能を発揮させることができる。
【発明を実施するための最良の形態】
【００１３】
〔第１実施形態〕
並継竿に適用する構成について説明する。図３に示すように、並継竿は、小径竿体２と大径竿体３とを備え、小径竿体２の竿元側端部と大径竿体３の竿先側端部とを連結して、釣り竿として構成される。小径竿体２の竿元側端部の外周面２Ａを竿元側程縮径する傾斜面に形成するとともに、大径竿体３の竿先側端部の内周面３Ａを竿元側程縮径する傾斜面に形成してある。
図３（ロ）に示すように、小径竿体２の竿元側端部の外周面２Ａを大径竿体３の竿先側端部の内周面３Ａに密着嵌合させることによって、連結状態を現出する。
【００１４】
一番竿、二番竿等の個々のものを竿体１と称し、以下、この竿体１で代表させて製造工程を説明する。図１及び図２に示すように、二種類のメインパターン８Ａ、８Ｂを用意する。メインパターン８Ａ、８Ｂは、炭素繊維等の強化繊維ｃを一方向に引き揃えたものに、エポキシ等の熱硬化性樹脂をマトリックス樹脂として含浸させてプリプレグシートを形成し、プリプレグシートを所定形状に裁断して製作される。
【００１５】
上記プリプレグシートに使用される強化繊維ｃとしては、ガラス繊維又はボロン繊維等が使用可能であり、マトリックス樹脂としては、フェノール等の熱硬化性樹脂又はＰＥＴ等の熱可塑性樹脂を使用することができる。
【００１６】
図１及び図２に示すように、第１層となる第１メインパターン８Ａは、強化繊維ｃを周方向に引き揃えたものであり、１プライ分の幅Ｄ１を有する。第２層となる第２メインパターン８Ｂは、強化繊維ｃを軸線方向に引き揃えたものであり、複数プライ分の幅Ｄ２を有する。
従来、この第２層として使用していたメインパターンがシート厚０．１５ｍｍのもので３プライ分の幅を有するものであったならば、ここで採用する第２メインパターン８Ｂとしては、シート厚０．０３ｍｍのもので１５プライ分の幅を有するものとする。これによって、巻回数を多くすることができるとともに全体としての厚みは同一のものに設定できる。
【００１７】
以上、二枚のメインパターン８Ａ、８Ｂを巻回していくが、まず、最初に第１メインパターン８Ａをマンドレル９に巻回し、次に、第２メインパターン８Ｂを巻回する。
図２に示すように、この第２メインパターン８Ｂを巻回する前に、第２メインパターン８Ｂの竿先側部分に蓄光材ａを装着する。つまり、蓄光材ａを第２メインパターン８Ｂの竿先側部分に装着した状態で、蓄光材ａ装着部分を内側にしてマンドレル９に巻き付けていく。
上記したように蓄光材ａを装着した第２メインパターン８Ｂを複数プライ巻回すると、複数層に亘って蓄光材ａ層が現出することとなる。
【００１８】
ここまでの製作過程において、記載を省略しているが、メインパターンに比べて軸線方向に沿った長さの短い補強パターンを竿先端部分、又は、竿尻側部分に巻回してもよい。この補強パターンとしては、強化繊維ｃを引き揃えたものでもよいが、強化繊維ｃをクロスさせたクロスシートから裁断したものでもよい。
また、プリプレグ製のテープを第２メインパターン８Ｂの上から巻回してもよく、あるいは、第１メインパターン８Ａの上から巻回してもよい。
【００１９】
以上のように、メインパターン８Ａ、８Ｂを巻回した後に、図示してはいないが、ポリエチレン等の成形用テープを螺旋状に巻回した状態で焼成し、焼成後成形用テープを剥離し、所定長さに切断して、仕上研磨加工を施して竿体１を形成する。
この所定長さに裁断する際に、図２に示すように、蓄光材ａを施した部分の中間部の切断線ｂによって切断する。
【００２０】
前記したように切断することによって、図１に示すように、竿体１の竿先側端部の先端面１Ａに蓄光材ａが連なった同心円状の輪が現出する。蓄光材ａによる輪は複数層に積層された第２メインパターン８Ｂの各層間に介在することと成る。このことによって、図３に示すように、小径竿体２と大径竿体３とを連結する際に、光を放つ蓄光材ａによって竿先側端部の先端面１Ａの存在を認識でき、暗闇での引き出し操作を容易に行うことができる。
【００２１】
ここで、蓄光材ａについて説明する。蓄光材ａは、太陽や照明の光を受けて、それをエネルギーとして蓄え、暗くなると、暗くなった周囲の状況に適合するように、エネルギーを放出する。これが暗闇で光を放つ原理である。
蓄光材ａとしては、硫化物と酸化物との２種類がある。硫化物は硫化亜鉛に銅を結合させてできたものであり、初期輝度が低く、残光が短い。酸化物はアルミン酸ストロンチュームに他の金属を結合させたものであり、発色はグリーンとブルーの二種類であり、初期輝度が高く、残光が長い。
【００２２】
蓄光材ａ以外に高輝度材を使用してもよい。高輝度材としては、蛍光体やその他のものがあり、その他のものの中には、ラメや水晶、或いは、釣り道具としてのルアー等を粒体に加工したものを使用してもよい。
【００２３】
上記構成においては、大径竿体３の竿先側端部に蓄光材ａを配置する構成を採ったが、蓄光材ａを配置構成するに、小径竿体２の竿元側端部に配置する構成を採ってもよい。これによって、小径竿体２の竿元側端部の先端面に蓄光材ａを装着することができる。
そうすると、小径竿体２の竿元側端部の先端面と大径竿体３の竿先側端部の先端面とに蓄光材ａを存在させることができるので、小径竿体２の竿元側端部と大径竿体３の竿先側端部とを連結する際に、両先端面が光を放射することとなるので、暗闇においても、連結操作が容易である。
【００２４】
〔第２実施形態〕
インロー継竿について説明する。図４に示すように、インロー継竿は小径竿体４と大径竿体５とを連結すべく、大径竿体５の竿先側端部５Ａにインロー芯材５ａを装着してある。図５（ロ）に示すように、そのインロー芯材５ａを小径竿体４の竿元側端部４Ａに嵌入させることによって、小径竿体４と大径竿体５とが連結される。第２実施形態の場合と同様に、大径竿体５の竿先側端部５Ａと小径竿体４の竿元側端部４Ａとに蓄光材ａを装着することによって、連結操作が容易に行える。
【００２５】
インロー芯材５ａの先端面にも蓄光材ａを装着してもよい。インロー芯材５ａを、プリプレグシートを巻回して筒状インロー芯材５ａに構成する場合には、第１実施形態で説明したように、第２メインパターン８Ｂの竿先側端部に蓄光材ａを装着して巻回すればよい。
【００２６】
インロー芯材５ａとして中実棒状のものに構成する場合には、次ぎのように構成する。図に示してはいないが、炭素繊維等の強化繊維群を、熱硬化性樹脂内を潜らせて、強化繊維群に樹脂を含浸させ、ダイスを通過させて、プリプレグ製の棒状体を構成する。この場合において、熱硬化性樹脂を貯留するタンク内に蓄光材ａを混在させることによって、強化繊維群をタンク内の樹脂に浸漬させて通過させる場合に、蓄光材ａも樹脂内に含浸されるものと考えられる。
【００２７】
〔別実施形態〕
（１）  各層間に蓄光材ａを介在させるについて、第２メインパターン８Ｂを複数プライ巻回する幅Ｄ２に構成し、その第２メインパターン８Ｂの竿先側端部に蓄光材ａを装着し、その第２メインパターン８Ｂをマンドレル９に複数回巻回することによって、各層間に蓄光材ａを介在させていた。
ここでは、第２メインパターン８Ｂを１プライから２プライ幅のものに構成し、この第２メインパターン８Ｂに相当するものを複数枚重ねて巻回する方法をとってもよい。この場合には、各第２メインパターン８Ｂ毎に、蓄光材ａを装着した状態で巻回することにする。
【００２８】
（２）  蓄光材ａを竿体１に装着するのに、各層間に配置して装着する構成を採ったが、竿を製造する過程で、引き揃え強化繊維群に樹脂を含浸させる際に、樹脂内に予め蓄光材ａを粒体として混入させた状態で強化繊維群に含浸させることによって、プリプレグシート自体に蓄光材ａを混入させることができる。
蓄光材ａを混入させたプリプレグシートをマンドレル９に巻回することによって、竿先側端部の先端面の全面に亘って蓄光材ａを散在させることができる。
【図面の簡単な説明】
【００２９】
【図１】竿体の竿先側端部の先端面に蓄光材が表出している状態を示す斜視図
【図２】第１メインパターン、及び、蓄光材を装着した第２メインパターンをマンドレルに巻回する前の状態を示す平面図
【図３】並継竿を示し、（イ）小径竿体と大径竿体とを連結する前の状態を示す縦断側面図、（ロ）小径竿体と大径竿体とを連結した状態を示す縦断側面図
【図４】インロー継竿を示し、（イ）小径竿体と大径竿体とを連結する前の状態を示す縦断側面図、（ロ）小径竿体と大径竿体とを連結した状態を示す縦断側面図
【符号の説明】
【００３０】
１            竿体
１Ａ          竿体端部
９            マンドレル
ａ            蓄光材
ｃ            強化繊維
【図１】
2007325550.tif 000003
【図２】
2007325550.tif 000004
【図３】
2007325550.tif 000005
【図４】
2007325550.tif 000006